(57)【要約】【課題】不正行為を防止するとともに、埃や金属粉等の侵入を抑制し、効率の良い放熱を行うことができる基板ケースの提供。【解決手段】ベース下側側板22とカバー下側側板62との間に間隙を設けるとともに、ベース上側側板23とカバー上側側板63との間にも間隙を設ける。ベース20の底板21とカバー下側側板62の先端縁64との間に間隙（下通風口53）を設ける。ベース20の底板21とカバー上側側板63の先端縁65との間に間隙（上通風口54）を設ける。ベース下側側板22の先端縁24とカバー下側側板62との間に形成される開口を吸気口55とし、ベース上側側板23の先端縁25とカバー上側側板63との間に形成される開口を排気口56とする。ベース20とカバー60との間に形成される間隙のうち、吸気口55から下通風口53までを吸気通路57とし、上通風口54から排気口56までを排気通路58とする。【選択図】図８
2010088950.tif 000002
【特許請求の範囲】
【請求項１】
遊技機の制御基板を収納するための基板ケースであって、
基板ケースは、遊技機の筐体の内部に固定されるベースと、ベースに固定されるカバーとを備え、
ベース及びカバーは、いずれも、底板と、底板の縁から立設された側板とを有し、底板と反対側に開口が設けられている箱形に形成され、
ベースとカバーとは、カバーの底板の内面とベースの底板の内面とを向かい合わせ、かつ、カバーの開口をベースの内部に位置させるようにして組み合わされ、
ベースの側板のうち、基板ケースを遊技機の筐体に固定した際に下側に位置する部分を、ベース下側側板とし、
ベースの側板のうち、基板ケースを遊技機の筐体に固定した際に上側に位置する部分を、ベース上側側板とし、
カバーの側板のうち、基板ケースを遊技機の筐体に固定した際に下側に位置する部分を、カバー下側側板とし、
カバーの側板のうち、基板ケースを遊技機の筐体に固定した際に上側に位置する部分を、カバー上側側板とし、
ベース下側側板とカバー下側側板との間には間隙が設けられ、
ベースの底板とカバー下側側板の先端縁との間には間隙が設けられ、
ベース上側側板とカバー上側側板との間には間隙が設けられ、
ベースの底板とカバー上側側板の先端縁との間には間隙が設けられ、
ベース下側側板の先端縁とカバー下側側板との間に形成される開口を吸気口とし、
ベース上側側板の先端縁とカバー上側側板との間に形成される開口を排気口とし、
ベースの底板とカバー下側側板の先端縁との間に形成される開口を下通風口とし、
ベースの底板とカバー上側側板の先端縁との間に形成される開口を上通風口とし、
ベースとカバーとの間に形成される間隙のうち、吸気口から下通風口までを吸気通路とし、
ベースとカバーとの間に形成される間隙のうち、上通風口から排気口までを排気通路とし、
ベースの底板の内面における、カバー下側側板の高さのやや上方に相当する位置、かつ、制御基板の下端よりも下方に相当する位置から、カバーの底板の内面方向へ向けて突出して、下通風口の前方に立ちはだかる、ベース下側突出部と、
ベースの底板の内面における、カバー上側側板の高さのやや下方に相当する位置、かつ、制御基板の上端よりも上方に相当する位置から、カバーの底板の内面方向へ向けて突出して、上通風口の前方に立ちはだかる、ベース上側突出部とを有し、
ベース下側突出部の先端縁とカバーの底板の内面との間には間隙が設けられ、
ベース上側突出部の先端縁とカバーの底板の内面との間には間隙が設けられ
ていることを特徴とする基板ケース。
【請求項２】
遊技機の制御基板を収納するための基板ケースであって、
基板ケースは、遊技機の筐体の内部に固定されるベースと、ベースに固定されるカバーとを備え、
ベース及びカバーは、いずれも、底板と、底板の縁から立設された側板とを有し、底板と反対側に開口が設けられている箱形に形成され、
ベースとカバーとは、カバーの底板の内面とベースの底板の内面とを向かい合わせ、かつ、カバーの開口をベースの内部に位置させるようにして組み合わされ、
ベースの側板のうち、基板ケースを遊技機の筐体に固定した際に下側に位置する部分を、ベース下側側板とし、
ベースの側板のうち、基板ケースを遊技機の筐体に固定した際に上側に位置する部分を、ベース上側側板とし、
カバーの側板のうち、基板ケースを遊技機の筐体に固定した際に下側に位置する部分を、カバー下側側板とし、
カバーの側板のうち、基板ケースを遊技機の筐体に固定した際に上側に位置する部分を、カバー上側側板とし、
ベース下側側板とカバー下側側板との間には間隙が設けられ、
ベースの底板とカバー下側側板の先端縁との間には間隙が設けられ、
ベース上側側板とカバー上側側板との間には間隙が設けられ、
ベースの底板とカバー上側側板の先端縁との間には間隙が設けられ、
ベース下側側板の先端縁とカバー下側側板との間に形成される開口を吸気口とし、
ベース上側側板の先端縁とカバー上側側板との間に形成される開口を排気口とし、
ベースの底板とカバー下側側板の先端縁との間に形成される開口を下通風口とし、
ベースの底板とカバー上側側板の先端縁との間に形成される開口を上通風口とし、
ベースとカバーとの間に形成される間隙のうち、吸気口から下通風口までを吸気通路とし、
ベースとカバーとの間に形成される間隙のうち、上通風口から排気口までを排気通路とし、
カバーの底板下端から下方へ向けて突出して、吸気口の前方に立ちはだかる、吸気口に応じた形状の底板下端突出部と、
カバーの底板上端から上方へ向けて突出して、排気口の前方に立ちはだかる、排気口に応じた形状の底板上端突出部とを有し、
ベース下側側板の先端縁と底板下端突出部との間には間隙が設けられ、
ベース上側側板の先端縁と底板上端突出部との間には間隙が設けられ
ていることを特徴とする基板ケース。
【請求項３】
遊技機の制御基板を収納するための基板ケースであって、
基板ケースは、遊技機の筐体の内部に固定されるベースと、ベースに固定されるカバーとを備え、
ベース及びカバーは、いずれも、底板と、底板の縁から立設された側板とを有し、底板と反対側に開口が設けられている箱形に形成され、
ベースとカバーとは、カバーの底板の内面とベースの底板の内面とを向かい合わせ、かつ、カバーの開口をベースの内部に位置させるようにして組み合わされ、
ベースの側板のうち、基板ケースを遊技機の筐体に固定した際に下側に位置する部分を、ベース下側側板とし、
ベースの側板のうち、基板ケースを遊技機の筐体に固定した際に上側に位置する部分を、ベース上側側板とし、
カバーの側板のうち、基板ケースを遊技機の筐体に固定した際に下側に位置する部分を、カバー下側側板とし、
カバーの側板のうち、基板ケースを遊技機の筐体に固定した際に上側に位置する部分を、カバー上側側板とし、
ベース下側側板とカバー下側側板との間には間隙が設けられ、
ベースの底板とカバー下側側板の先端縁との間には間隙が設けられ、
ベース上側側板とカバー上側側板との間には間隙が設けられ、
ベースの底板とカバー上側側板の先端縁との間には間隙が設けられ、
ベース下側側板の先端縁とカバー下側側板との間に形成される開口を吸気口とし、
ベース上側側板の先端縁とカバー上側側板との間に形成される開口を排気口とし、
ベースの底板とカバー下側側板の先端縁との間に形成される開口を下通風口とし、
ベースの底板とカバー上側側板の先端縁との間に形成される開口を上通風口とし、
ベースとカバーとの間に形成される間隙のうち、吸気口から下通風口までを吸気通路とし、
ベースとカバーとの間に形成される間隙のうち、上通風口から排気口までを排気通路とし、
ベースの底板の内面における、カバー下側側板の高さのやや上方に相当する位置、かつ、制御基板の下端よりも下方に相当する位置から、カバーの底板の内面方向へ向けて突出して、下通風口の前方に立ちはだかる、ベース下側突出部と、
ベースの底板の内面における、カバー上側側板の高さのやや下方に相当する位置、かつ、制御基板の上端よりも上方に相当する位置から、カバーの底板の内面方向へ向けて突出して、上通風口の前方に立ちはだかる、ベース上側突出部と、
カバーの底板下端から下方へ向けて突出して、吸気口の前方に立ちはだかる、吸気口に応じた形状の底板下端突出部と、
カバーの底板上端から上方へ向けて突出して、排気口の前方に立ちはだかる、排気口に応じた形状の底板上端突出部とを有し、
ベース下側突出部の先端縁とカバーの底板の内面との間には間隙が設けられ、
ベース上側突出部の先端縁とカバーの底板の内面との間には間隙が設けられ、
ベース下側側板の先端縁と底板下端突出部との間には間隙が設けられ、
ベース上側側板の先端縁と底板上端突出部との間には間隙が設けられ
ていることを特徴とする基板ケース。
【請求項４】
ベースの底板には、基板用ボスが設けられ、
基板用ボスは、ベースの底板の内面から、ベースの開口方向へ向けて突出し、
基板用ボスの高さは、ベース下側側板及びベース上側側板の高さよりも低く、
制御基板は、ベースの基板用ボスの先端に固定され、
ベース下側突出部及びベース上側突出部の高さは、基板用ボスの高さよりも高い
ことを特徴とする請求項１又は３記載の基板ケース。
【請求項５】
底板下端突出部は、ベース下側側板のやや下方に相当する位置まで突出し、
底板上端突出部は、ベース上側側板のやや上方に相当する位置まで突出している
ことを特徴とする請求項２又は３記載の基板ケース。
【請求項６】
底板下端突出部及び底板上端突出部の先端縁が、筐体の背板方向へ向かうように、底板下端突出部及び底板上端突出部が屈曲している
ことを特徴とする請求項２又は３記載の基板ケース。
【請求項７】
底板下端突出部及び底板上端突出部は、筐体の背板方向に向けて傾斜して突出している
ことを特徴とする請求項２又は３記載の基板ケース。
【発明の詳細な説明】
【技術分野】
【０００１】
本発明は、制御基板を収納する基板ケースに関する。
【背景技術】
【０００２】
スロットマシンやパチンコ機等の遊技機の内部には、装置の動作やゲーム内容を制御する制御基板が設けられている。制御基板は、ＣＰＵやＲＯＭ等の電子部品を備えている。そして、ピアノ線や針金等を挿入して、制御基板上の回路をショートさせる等して誤動作を起こさせる不正行為を防止するため、制御基板は基板ケースに収納される。
制御基板に設けられた電子部品は、駆動に発熱を伴う。基板ケースの外に熱を放出させ、基板ケースの中に外気を流入させて電子部品を冷却するために、基板ケースは収納空間と外部空間とを連結する複数の放熱孔を備えている。しかし、放熱孔からピアノ線や針金等を挿入する不正行為が行われる問題が生じていた。そこで、このような問題を解決するために、放熱孔を屈曲させたことを特徴とする基板ケースが提案されている（特許文献１参照）。
【先行技術文献】
【特許文献】
【０００３】
【特許文献１】特開平６―１５４３８９号公報
【発明の概要】
【発明が解決しようとする課題】
【０００４】
上述した特許文献１に記載された基板ケースでは、放熱孔からピアノ線や針金等を挿入する不正行為の防止には効果はあるが、効率のよい放熱を行うことができないという問題がある。また、放熱孔より埃や金属粉等が収納空間に侵入し、制御基板の誤動作や故障が生じるという問題がある。
そこで本発明は、上述した問題点に鑑みてなされたものであり、その目的とするところは、不正行為を防止するとともに、埃や金属粉等の侵入を抑制し、効率の良い放熱を行うことができる基板ケースを提供することである。
【課題を解決するための手段】
【０００５】
各請求項に記載された発明は、上述の目的を達成するためになされたものである。尚、符号は、発明の実施の形態において用いた符号を示し、本発明の技術的範囲を限定するものではない。
（請求項１）
（特徴点）
請求項１記載の発明は、遊技機の制御基板（16）を収納するための基板ケース（17）であって、基板ケース（17）は、遊技機の筐体（11）に固定されるベース（20）と、ベース（20）に固定されるカバー（60）とを備え、ベース（20）及びカバー（60）は、いずれも、底板と、底板の縁から立設された側板とを有し、底板と反対側に開口が設けられている箱形に形成され、ベース（20）とカバー（60）とは、カバー（60）の底板（61）の内面とベース（20）の底板（21）の内面とを向かい合わせ、かつ、カバー（60）の開口をベース（20）の内部に位置させるようにして組み合わされ、ベース（20）の側板のうち、基板ケース（17）を遊技機の筐体（11）に固定した際に下側に位置する部分を、ベース下側側板（22）とし、ベース（20）の側板のうち、基板ケース（17）を遊技機の筐体（11）に固定した際に上側に位置する部分を、ベース上側側板（23）とし、カバー（60）の側板のうち、基板ケース（17）を遊技機の筐体（11）に固定した際に下側に位置する部分を、カバー下側側板（62）とし、カバー（60）の側板のうち、基板ケース（17）を遊技機の筐体（11）に固定した際に上側に位置する部分を、カバー上側側板（63）とし、ベース下側側板（22）とカバー下側側板（62）との間には間隙が設けられ、ベース（20）の底板（21）とカバー下側側板（62）の先端縁（64）との間には間隙が設けられ、ベース上側側板（23）とカバー上側側板（63）との間には間隙が設けられ、ベース（20）の底板（21）とカバー上側側板（63）の先端縁（65）との間には間隙が設けられ、ベース下側側板（22）の先端縁（24）とカバー下側側板（62）との間に形成される開口を吸気口（55）とし、ベース上側側板（23）の先端縁（25）とカバー上側側板（63）との間に形成される開口を排気口（56）とし、ベース（20）の底板（21）とカバー下側側板（62）の先端縁（64）との間に形成される開口を下通風口（53）とし、ベース（20）の底板（21）とカバー上側側板（63）の先端縁（65）との間に形成される開口を上通風口（54）とし、ベース（20）とカバー（60）との間に形成される間隙のうち、吸気口（55）から下通風口（53）までを吸気通路（57）とし、ベース（20）とカバー（60）との間に形成される間隙のうち、上通風口（54）から排気口（56）までを排気通路（58）とし、ベース（20）の底板（21）の内面における、カバー下側側板（62）の高さのやや上方に相当する位置、かつ、制御基板（16）の下端よりも下方に相当する位置から、カバー（60）の底板（61）の内面方向へ向けて突出して、下通風口（53）の前方に立ちはだかる、ベース下側突出部（26）と、ベース（20）の底板（21）の内面における、カバー上側側板（63）の高さのやや下方に相当する位置、かつ、制御基板（16）の上端よりも上方に相当する位置から、カバー（60）の底板（61）の内面方向へ向けて突出して、上通風口（54）の前方に立ちはだかる、ベース上側突出部（27）とを有し、ベース下側突出部（26）の先端縁とカバー（60）の底板（61）の内面との間には間隙が設けられ、ベース上側突出部（27）の先端縁とカバー（60）の底板（61）の内面との間には間隙が設けられていることを特徴とする。
【０００６】
（請求項２）
（特徴点）
請求項２記載の発明は、遊技機の制御基板（16）を収納するための基板ケース（17）であって、基板ケース（17）は、遊技機の筐体（11）に固定されるベース（20）と、ベース（20）に固定されるカバー（60）とを備え、ベース（20）及びカバー（60）は、いずれも、底板と、底板の縁から立設された側板とを有し、底板と反対側に開口が設けられている箱形に形成され、ベース（20）とカバー（60）とは、カバー（60）の底板（61）の内面とベース（20）の底板（21）の内面とを向かい合わせ、かつ、カバー（60）の開口をベース（20）の内部に位置させるようにして組み合わされ、ベース（20）の側板のうち、基板ケース（17）を遊技機の筐体（11）に固定した際に下側に位置する部分を、ベース下側側板（22）とし、ベース（20）の側板のうち、基板ケース（17）を遊技機の筐体（11）に固定した際に上側に位置する部分を、ベース上側側板（23）とし、カバー（60）の側板のうち、基板ケース（17）を遊技機の筐体（11）に固定した際に下側に位置する部分を、カバー下側側板（62）とし、カバー（60）の側板のうち、基板ケース（17）を遊技機の筐体（11）に固定した際に上側に位置する部分を、カバー上側側板（63）とし、ベース下側側板（22）とカバー下側側板（62）との間には間隙が設けられ、ベース（20）の底板（21）とカバー下側側板（62）の先端縁（64）との間には間隙が設けられ、ベース上側側板（23）とカバー上側側板（63）との間には間隙が設けられ、ベース（20）の底板（21）とカバー上側側板（63）の先端縁（65）との間には間隙が設けられ、ベース下側側板（22）の先端縁（24）とカバー下側側板（62）との間に形成される開口を吸気口（55）とし、ベース上側側板（23）の先端縁（25）とカバー上側側板（63）との間に形成される開口を排気口（56）とし、ベース（20）の底板（21）とカバー下側側板（62）の先端縁（64）との間に形成される開口を下通風口（53）とし、ベース（20）の底板（21）とカバー上側側板（63）の先端縁（65）との間に形成される開口を上通風口（54）とし、ベース（20）とカバー（60）との間に形成される間隙のうち、吸気口（55）から下通風口（53）までを吸気通路（57）とし、ベース（20）とカバー（60）との間に形成される間隙のうち、上通風口（54）から排気口（56）までを排気通路（58）とし、カバー（60）の底板（61）下端から下方へ向けて突出して、吸気口（55）の前方に立ちはだかる、吸気口（55）に応じた形状の底板下端突出部（66）と、カバー（60）の底板（61）上端から上方へ向けて突出して、排気口（56）の前方に立ちはだかる、排気口（56）に応じた形状の底板上端突出部（67）とを有し、ベース下側側板（22）の先端縁（24）と底板下端突出部（66）との間には間隙が設けられ、ベース上側側板（23）の先端縁（25）と底板上端突出部（67）との間には間隙が設けられていることを特徴とする。
【０００７】
（請求項３）
（特徴点）
請求項３記載の発明は、遊技機の制御基板（16）を収納するための基板ケース（17）であって、基板ケース（17）は、遊技機の筐体（11）に固定されるベース（20）と、ベース（20）に固定されるカバー（60）とを備え、ベース（20）及びカバー（60）は、いずれも、底板と、底板の縁から立設された側板とを有し、底板と反対側に開口が設けられている箱形に形成され、ベース（20）とカバー（60）とは、カバー（60）の底板（61）の内面とベース（20）の底板（21）の内面とを向かい合わせ、かつ、カバー（60）の開口をベース（20）の内部に位置させるようにして組み合わされ、ベース（20）の側板のうち、基板ケース（17）を遊技機の筐体（11）に固定した際に下側に位置する部分を、ベース下側側板（22）とし、ベース（20）の側板のうち、基板ケース（17）を遊技機の筐体（11）に固定した際に上側に位置する部分を、ベース上側側板（23）とし、カバー（60）の側板のうち、基板ケース（17）を遊技機の筐体（11）に固定した際に下側に位置する部分を、カバー下側側板（62）とし、カバー（60）の側板のうち、基板ケース（17）を遊技機の筐体（11）に固定した際に上側に位置する部分を、カバー上側側板（63）とし、ベース下側側板（22）とカバー下側側板（62）との間には間隙が設けられ、ベース（20）の底板（21）とカバー下側側板（62）の先端縁（64）との間には間隙が設けられ、ベース上側側板（23）とカバー上側側板（63）との間には間隙が設けられ、ベース（20）の底板（21）とカバー上側側板（63）の先端縁（65）との間には間隙が設けられ、ベース下側側板（22）の先端縁（24）とカバー下側側板（62）との間に形成される開口を吸気口（55）とし、ベース上側側板（23）の先端縁（25）とカバー上側側板（63）との間に形成される開口を排気口（56）とし、ベース（20）の底板（21）とカバー下側側板（62）の先端縁（64）との間に形成される開口を下通風口（53）とし、ベース（20）の底板（21）とカバー上側側板（63）の先端縁（65）との間に形成される開口を上通風口（54）とし、ベース（20）とカバー（60）との間に形成される間隙のうち、吸気口（55）から下通風口（53）までを吸気通路（57）とし、ベース（20）とカバー（60）との間に形成される間隙のうち、上通風口（54）から排気口（56）までを排気通路（58）とし、ベース（20）の底板（21）の内面における、カバー下側側板（62）の高さのやや上方に相当する位置、かつ、制御基板（16）の下端よりも下方に相当する位置から、カバー（60）の底板（61）の内面方向へ向けて突出して、下通風口（53）の前方に立ちはだかる、ベース下側突出部（26）と、ベース（20）の底板（21）の内面における、カバー上側側板（63）の高さのやや下方に相当する位置、かつ、制御基板（16）の上端よりも上方に相当する位置から、カバー（60）の底板（61）の内面方向へ向けて突出して、上通風口（54）の前方に立ちはだかる、ベース上側突出部（27）と、カバー（60）の底板（61）下端から下方へ向けて突出して、吸気口（55）の前方に立ちはだかる、吸気口（55）に応じた形状の底板下端突出部（66）と、カバー（60）の底板（61）上端から上方へ向けて突出して、排気口（56）の前方に立ちはだかる、排気口（56）に応じた形状の底板上端突出部（67）とを有し、ベース下側突出部（26）の先端縁と���バー（60）の底板（61）の内面との間には間隙が設けられ、ベース上側突出部（27）の先端縁とカバー（60）の底板（61）の内面との間には間隙が設けられ、ベース下側側板（22）の先端縁（24）と底板下端突出部（66）との間には間隙が設けられ、ベース上側側板（23）の先端縁（25）と底板上端突出部（67）との間には間隙が設けられていることを特徴とする。
【０００８】
（請求項４）
（特徴点）
請求項４記載の発明は、上記請求項１又は３記載の発明の特徴に加え、ベース（20）の底板（21）には、基板用ボス（82）が設けられ、基板用ボス（82）は、ベース（20）の底板（21）の内面から、ベース（20）の開口方向へ向けて突出し、基板用ボス（82）の高さは、ベース下側側板（22）及びベース上側側板（23）の高さよりも低く、制御基板（16）は、ベース（20）の基板用ボス（82）の先端に固定され、ベース下側突出部（26）及びベース上側突出部（27）の高さは、基板用ボス（82）の高さよりも高いことを特徴とする。
【０００９】
（請求項５）
（特徴点）
請求項５記載の発明は、上記請求項２又は３記載の発明の特徴に加え、底板下端突出部（66）は、ベース下側側板（22）のやや下方に相当する位置まで突出し、底板上端突出部（67）は、ベース上側側板（23）のやや上方に相当する位置まで突出していることを特徴とする。
（請求項６）
（特徴点）
請求項６記載の発明は、上記請求項２又は３記載の発明の特徴に加え、底板下端突出部（66）及び底板上端突出部（67）の先端縁が、筐体（11）の背板（14）方向へ向かうように、底板下端突出部（66）及び底板上端突出部（67）が屈曲していることを特徴とする。
【００１０】
（請求項７）
（特徴点）
請求項７記載の発明は、上記請求項２又は３記載の発明の特徴に加え、底板下端突出部（66）及び底板上端突出部（67）は、筐体（11）の背板（14）方向に向けて傾斜して突出していることを特徴とする。
「遊技機」とは、スロットマシンやパチンコ機等の遊技機をいう。
「制御基板（16）」とは、遊技機が備える装置の動作やゲーム内容を制御するためのものであって、ＣＰＵやＲＯＭ等の電子部品を備えるものをいう。
【００１１】
「基板ケース（17）」とは、ベース（20）とカバー（60）とを備え、内部に制御基板（16）を収納するものである。
「ベース（20）」とは、底板と、底板の縁から立設された側板とを備えたものである。ベース（20）は、底板と反対側に開口が設けられた箱形に形成されたものである。ベース（20）は、遊技機の筐体の内部に固定される。
「カバー（60）」とは、底板と、底板の縁から立設された側板とを備えたものである。カバー（60）は、底板と反対側に開口が設けられた箱形に形成されたものである。カバー（60）は、ベース（20）に固定される。
【００１２】
ベース（20）とカバー（60）とは、カバー（60）の開口を、ベース（20）の内部に位置させるようにして、組み合わされる。
ここで、ベース下側側板（22）における、ベース（20）の開口側の端部を、「ベース下側側板（22）の先端縁（24）」とする。
つまり、ベース下側側板（22）における、ベース（20）の底板（21）とは反対側の端部を、「ベース下側側板（22）の先端縁（24）」とする。
また、ベース上側側板（23）における、ベース（20）の開口側の端部を、「ベース上側側板（23）の先端縁（25）」とする。
【００１３】
つまり、ベース上側側板（23）における、ベース（20）の底板（21）とは反対側の端部を、「ベース上側側板（23）の先端縁（25）」とする。
また、「カバー下側側板（62）の先端縁（64）」とは、カバー下側側板（62）における、カバー（60）の開口側の端部をいう。
つまり、「カバー下側側板（62）の先端縁（64）」とは、カバー下側側板（62）における、カバー（60）の底板（61）とは反対側の端部をいう。
また、「カバー上側側板（63）の先端縁（65）」とは、カバー上側側板（63）における、カバー（60）の開口側の端部をいう。
【００１４】
つまり、「カバー上側側板（63）の先端縁（65）」とは、カバー上側側板（63）における、カバー（60）の底板（61）とは反対側の端部をいう。
また、ベース下側側板（22）とカバー下側側板（62）との間には間隙が設けられ、また、ベース（20）の底板（21）とカバー下側側板（62）の先端縁（64）との間にも間隙が設けられ、また、ベース上側側板（23）とカバー上側側板（63）との間にも間隙が設けられ、また、ベース（20）の底板（21）とカバー上側側板（63）の先端縁（65）との間には間隙が設けられている。
つまり、ベース（20）とカバー（60）とは、ベース下側側板（22）とカバー下側側板（62）との間に間隙ができ、かつ、ベース上側側板（23）とカバー上側側板（63）との間にも間隙ができるように形成される。
【００１５】
また、ベース（20）とカバー（60）とは、ベース（20）の底板（21）とカバー下側側板（62）の先端縁（64）との間に間隙ができ、かつ、ベース（20）の底板（21）とカバー上側側板（63）の先端縁（65）との間にも間隙ができるように形成される。
また、ベース下側側板（22）の先端縁（24）と、カバー下側側板（62）との間に設けられた間隙を「吸気口（55）」とする。
また、ベース上側側板（23）の先端縁（25）と、カバー上側側板（63）との間に設けられた間隙を「排気口（56）」とする。
また、ベース（20）の底板（21）とカバー下側側板（62）の先端縁（64）との間に設けられた間隙を「下通風口（53）」とする。
【００１６】
また、ベース（20）の底板（21）とカバー上側側板（63）の先端縁（65）との間に設けられた間隙を「上通風口（54）」とする。
また、ベース（20）とカバー（60）との間に設けられた間隙であって、吸気口（55）から下通風口（53）までを「吸気通路（57）」とする。
また、ベース（20）とカバー（60）との間に設けられた間隙であって、上通風口（54）から排気口（56）までを「排気通路（58）」とする。
また、ベース（20）とカバー（60）との間で形成された空間で、吸気通路（57）と排気通路（58）を除いた部分を「収納空間（59）」とする。
【００１７】
また、「底板下端突出部（66）」とは、カバー（60）の底板（61）下端から下方に向けて突出した部分をいう。
また、「底板上端突出部（67）」とは、カバー（60）の底板（61）上端から上方に向けて突出した部分をいう。
また、「ベース下側突出部（26）」とは、ベース（20）の底板（21）の内面における、カバー下側側板（62）の高さのやや上方に相当する位置から、カバー（60）の底板（61）の内面方向へ向けて突出した部分をいう。
また、「ベース下側突出部（26）の先端縁」とは、ベース下側突出部（26）における、ベース（20）の底板（21）とは反対側の端部をいう。
【００１８】
また、ベース下側突出部（26）の先端縁とカバー（60）の底板（61）の内面との間には間隙が設けられている。
つまり、ベース下側突出部（26）は、カバー（60）の底板（61）の内面方向へ向けて突出するものの、カバー（60）の底板（61）の内面までは達しないように形成されている。
また、「ベース上側突出部（27）」とは、ベース（20）の底板（21）の内面における、カバー上側側板（63）の高さのやや下方に相当する位置から、カバー（60）の底板（61）の内面方向へ向けて突出した部分をいう。
また、「ベース上側突出部（27）の先端縁」とは、ベース上側突出部（27）における、ベース（20）の底板（21）とは反対側の端部をいう。
【００１９】
また、ベース上側突出部（27）の先端縁とカバー（60）の底板（61）の内面との間には間隙が設けられている。
つまり、ベース上側突出部（27）は、カバー（60）の底板（61）の内面方向へ向けて突出するものの、カバー（60）の底板（61）の内面までは達しないように形成されている。
（作用）
制御基板（16）に実装された電子部品は、駆動により発熱する。発熱した電子部品により、基板ケース（17）の収納空間（59）の空気は、熱せられて上昇する。熱せられた空気は、上通風口（54）を通り、排気通路（58）を抜け、排気口（56）より基板ケース（17）の外へ排出される。そして、収納空間（59）の空気の排出に伴い、吸気口（55）から基板ケース（17）外の空気が流入する。吸気口（55）より流入した空気は、吸気通路（57）を通り、下通風口（53）を抜けて収納空間（59）へ送り込まれる。
【００２０】
また、上述したようにベース（20）とカバー（60）とを固定することにより、外部材下側側板と内部材下側側板とがオーバーラップするとともに、外部材上側側板と内部材上側側板とがオーバーラップする。このため、収納空間（59）から基板ケース（17）外へ排出される空気の通路である排気通路（58）と、基板ケース（17）外から収納空間（59）へ流入する空気の通路である吸気通路（57）とは、いずれも屈曲した形状となっている。
また、底板下端突出部（66）は、吸気口（55）の前方に立ちはだかるようになる。
また、底板上端突出部（67）は、排気口（56）の前方に立ちはだかるようになる。
また、ベース下側突出部（26）は、下通風口（53）の前方に立ちはだかるようになる。
【００２１】
また、ベース上側突出部（27）は、上通風口（54）の前方に立ちはだかるようになる。
【発明の効果】
【００２２】
本発明によれば、以下のような効果を奏する。
すなわち、電子部品により熱せられた収納空間の空気が、排気通路から基板ケースの外へ排出される。これに伴い、基板ケース外の空気が、吸気通路から収納空間へ流入する。収納空間へ流入した空気により、電子部品が冷却されるので、効率の良い放熱を行うことができる。
また、外部材下側側板と内部材下側側板とがオーバーラップするとともに、外部材上側側板と内部材上側側板とがオーバーラップすることにより、収納空間への埃や金属粉等の侵入を抑制することができる。これにより、制御基板の誤動作や故障を防止できる。
【００２３】
さらに、収納空間から基板ケース外へ排出される空気の通路である排気通路と、基板ケース外から収納空間へ流入する空気の通路である吸気通路とは、いずれも屈曲した形状となっている。そのため、排気口や吸気口からピアノ線や針金等を挿入させても、ピアノ線や針金等の先端を収納空間へ侵入させ、制御基板まで到達させることが困難となる。これにより、ピアノ線や針金等を挿入する不正行為を防止できる。
また、請求項１及び３記載の発明によれば、下通風口の前方にベース下側突出部が立ちはだかる。このため、たとえ吸気口から吸気通路を介して下通風口まで挿入されたピアノ線や針金等があったとしても、このピアノ線や針金等は、その先、垂直上方への進行を妨げられる。したがって、ピアノ線や針金等の先端を制御基板まで到達させることが、さらに困難となる。また、上通風口の前方にベース上側突出部が立ちはだかる。このため、たとえ排気口から排気通路を介して上通風口まで挿入されたピアノ線や針金等があったとしても、このピアノ線や針金等は、その先、垂直下方への進行を妨げられる。したがって、ピアノ線や針金等の先端を制御基板まで到達させることが、さらに困難となる。これにより、基板ケースにピアノ線や針金等を挿入する不正行為を、より効果的に防止できる。
【００２４】
また、請求項２及び３記載の発明によれば、吸気口の前方に底板下端突出部が立ちはだかる。このため、吸気口の真正面から吸気通路内へピアノ線や針金等を挿入することが困難になる。また、排気口の前方に底板上端突出部が立ちはだかる。このため、排気口の真正面から排気通路内へピアノ線や針金等を挿入することが困難になる。これにより、基板ケースにピアノ線や針金等を挿入する不正行為を、より効果的に防止できる。
【図面の簡単な説明】
【００２５】
【図１】第１の参考実施形態に係る遊技機としてのスロットマシンを示す正面図である。
【図２】第１の参考実施形態に係る遊技機としてのスロットマシンの前扉が開いた状態を示す斜視図である。
【図３】第１の参考実施形態に係る基板ケースを示す正面図である。
【図４】第１の参考実施形態に係る基板ケースを示す側面図である。
【図５】第１の参考実施形態に係る図３のＡ−Ａ線における断面図である。
【図６】第１の参考実施形態に係る図３のＢ−Ｂ線における断面図である。
【図７】第１の実施形態に係る基板ケースの縦断面図である。
【図８】第２の実施形態に係る基板ケースの縦断面図である。
【図９】第２の参考実施形態に係る基板ケースの縦断面図である。
【図１０】第３の参考実施形態に係る基板ケースを示す正面図である。
【図１１】第３の参考実施形態に係る基板ケースを示す側面図である。
【図１２】第３の参考実施形態に係る図１０のＣ−Ｃ線における断面図である。
【図１３】第３の参考実施形態に係る図１０のＤ−Ｄ線における断面図である。
【図１４】第４の参考実施形態に係る基板ケースの縦断面図である。
【図１５】第５の参考実施形態に係る基板ケースの縦断面図である。
【図１６】第６の参考実施形態に係る基板ケースの縦断面図である。
【発明を実施するための最良の形態】
【００２６】
以下に、本発明を実施するための最良の実施の形態を、図面を参照しつつ説明する。
（第１の参考実施形態）
（図面の説明）
図１は、第１の参考実施形態に係る遊技機としてのスロットマシン10を示す正面図である。図２は、第１の参考実施形態に係る遊技機としてのスロットマシン10の前扉30が開いた状態を示す斜視図である。図３は、第１の参考実施形態に係る基板ケース17を示す正面図である。図４は、第１の参考実施形態に係る基板ケース17を示す側面図である。図５は、第１の参考実施形態に係る図３のＡ−Ａ線における断面図である。図６は、第１の参考実施形態に係る図３のＢ−Ｂ線における断面図である。
【００２７】
（スロットマシン10）
本実施の形態に係る遊技機としてのスロットマシン10は、図１及び図２に示すように、正面に開口を有する箱形に形成された筐体11を備えている。筐体11は、底板12と側板13と背板14と天板15とを備えている。
筐体11の内部には、３個の回転リール41を横並びに設けたリール装置40や、スロットマシン10の遊技動作を制御する制御装置46や、メダル選別装置43を通過したメダルを受け止めて貯留しておくとともに、貯留したメダルを入賞時にメダル払出口32から払い出すためのホッパー装置44や、これらの装置に電力を供給するための電源装置45が収納されている。
【００２８】
筐体11の前面には、開口部を塞ぐ前扉30が開閉自在に設けられている。前扉30の上部には、演出用ランプ37が設けられている。また、前扉30のほぼ中央には、図柄表示窓42が設けられている。ここで、図柄表示窓42は、３個の回転リール41に記された図柄を外部から視認するための窓である。図柄表示窓42は、全ての回転リール41が回転を停止したとき、縦横３個ずつ配列された計９個の図柄が表示されるように形成されている。
前扉30には、図柄表示窓42の下方に、メダルが投入されるメダル投入口31や、貯留メダルを１枚減じてメダルの投入に代えるベットスイッチ33や、貯留メダルを３枚減じてメダルの投入に代えるマックスベットスイッチ34や、回転リール41の回転を開始させるスタートスイッチ35や、３個の回転リール41に対応して回転を停止させる３個のストップスイッチ36が設けられている。
【００２９】
前扉30の下部には、メダルを払い出すためのメダル払出口32や、演出音等を発するスピーカー38が設けられている。そして、メダル払出口32の下方には、メダル払出口32から払い出されたメダルを受け止めて貯留するための受け皿39が設けられている。
前扉30の裏面には、メダル投入口31に対応する位置に配置され、メダル投入口31から投入されたメダルを誘導しながらメダルの真贋を判定するためのメダル選別装置43が設けられている。
制御装置46は、スロットマシン10の遊技動作を制御するためのメイン基板47と、スロットマシン10の演出動作を制御するためのサブ基板48とを備えている。メイン基板47はメイン基板ケース49に収納され、サブ基板48はサブ基板ケース50に収納されている。そして、メイン基板ケース49及びサブ基板ケース50は、ピアノ線や針金等を挿入する不正行為を防止するとともに、埃や金属粉等の侵入を抑制し、効率の良い放熱を行うことができる、本発明に基づく放熱構造を備えている。
【００３０】
以下に、メイン基板ケース49の説明を行う。なお、サブ基板ケース50は、メイン基板ケース49と同様の構造を有するものなので、その説明は省略する。
（基板ケース17）
図３、図４、図５及び図６に示すように、本実施の形態に係る基板ケース17としてのメイン基板ケース49は、ベース20とカバー60とを備え、内部に制御基板16としてのメイン基板47を収納している。ベース20は、遊技機の筐体11の内部に固定され、カバー60は、ベース20に固定されている。
（制御基板16）
本実施の形態に係る制御基板16としてのメイン基板47は、スロットマシン10の遊技動作を制御するためのものであって、ＣＰＵやＲＯＭ等の電子部品を備えている。メイン基板47は、長辺と短辺とを有する長方形の平面形状に形成されている。メイン基板47の四隅及び長辺の中央部には、メイン基板47をベース20に基板用ネジ90で固定するための基板用ネジ穴91が６個設けられている。また、メイン基板47には、ベース20に固定する際に、メイン基板47の固定位置を決める位置決め穴92が４個設けられている。
【００３１】
（ベース20）
ベース20は、底板21と、底板21の縁から立設された４つの側板とを有し、ベース20の底板21と反対側に開口を有する箱形に形成されている。ベース20の底板21は、メイン基板47の形状に応じた長方形に形成されている。
ベース20の底板21には、メイン基板47の基板用ネジ穴91に対応して、円筒形の基板用ボス82が設けられている。つまり、ベース20の底板21には、６個の基板用ボス82が設けられている。各基板用ボス82は、いずれも、ベース20の底板21の内面から、ベース20の開口方向へ向けて直角に突出している。ここで、各基板用ボス82は、それぞれ等しい高さに形成され、かつ、各基板用ボス82の高さは、ベース下側側板22及びベース上側側板23の高さよりも低く形成されている。また、各基板用ボス82の内周面には、メイン基板47をベース20に基板用ネジ90で固定するための雌ネジが設けられている。
【００３２】
ベース20の底板21には、メイン基板47の位置決め穴92に対応して、円筒形のカバー用ボス83が設けられている。つまり、ベース20の底板21には、４個のカバー用ボス83が設けられている。各カバー用ボス83は、いずれも、ベース20の底板21の内面から、ベース20の開口方向へ向けて直角に突出している。ここで、各カバー用ボス83は、それぞれ等しい高さに形成され、かつ、各カバー用ボス83の高さは、ベース下側側板22、ベース上側側板23、カバー下側側板62及びカバー上側側板63の高さよりも高く形成されている。各カバー用ボス83の内周面には、カバー60をベース20にカバー用ネジ76で固定するための雌ネジが設けられている。
【００３３】
（カバー60）
カバー60は、底板61と、底板61の縁から立設された４つの側板とを有し、カバー60の底板61と反対側に開口を有する箱形に形成されている。カバー60の底板61は、メイン基板47の形状に対応した長方形に形成されている。また、カバー60の底板61には、カバー用ボス83に対応して、カバー用ネジ穴77が設けられている。つまり、カバー60の底板61には、４個のカバー用ネジ穴77が設けられている。
（ベース20と制御基板16との固定）
メイン基板47の各位置決め穴92に、ベース20の各カバー用ボス83をそれぞれ貫通させ、ベース20の各基板用ボス82の先端と、メイン基板47の各基板用ネジ穴91とをそれぞれ合わせる。この状態で、基板用ネジ90を各基板用ボス82の雌ネジにそれぞれ螺合させることにより、メイン基板47はベース20に固定される。
【００３４】
（ベース20とカバー60との固定）
カバー60の底板61の内面を、ベース20の底板21の内面と向かい合わせ、カバー60の開口を、ベース20の内部に位置させるとともに、ベース20の各カバー用ボス83の先端と、カバー60の各カバー用ネジ穴77とをそれぞれ合わせるようにして、ベース20とカバー60とを組み合わせる。この状態で、カバー用ネジ76をカバー用ボス83の各雌ネジにそれぞれ螺合させる。そうすると、カバー60がベース20に固定される。つまり、本実施の形態では、ベース20が外部材となり、カバー60が内部材となっている。
また、メイン基板ケース49は、ベースの底板21の外面と、筐体11の背板14の内面とがぴったりと合わさるようにして、筐体11の内部に取り付けられる。
【００３５】
ここで、ベース20の側板のうち、メイン基板ケース49を筐体11に固定した際に下側に位置する部分を、ベース下側側板22とし、同上側に位置する部分を、ベース上側側板23とする。つまり、本実施の形態では、ベース下側側板22が外部材下側側板となり、ベース上側側板23が外部材上側側板となる。
また、ベース下側側板22における、ベース20の開口側の端部を、ベース下側側板22の先端縁24とする。換言すれば、ベース下側側板22における、ベース20の底板21とは反対側の端部を、ベース下側側板22の先端縁24とする。つまり、本実施の形態では、ベース下側側板22の先端縁24が外部材下側側板の先端縁となっている。
【００３６】
また、ベース上側側板23における、ベース20の開口側の端部を、ベース上側側板23の先端縁25とする。換言すれば、ベース上側側板23における、ベース20の底板21とは反対側の端部を、ベース上側側板23の先端縁25とする。つまり、本実施の形態では、ベース上側側板23の先端縁25が外部材上側側板の先端縁となっている。
また、ベース20の側板のうち、メイン基板ケース49を筐体11に固定した際に右側に位置する部分を、ベース右側側板80とし、同左側に位置する部分を、ベース左側側板81とする。
また、カバー60の側板のうち、メイン基板ケース49を筐体11に固定した際に下側に位置する部分を、カバー下側側板62とし、同上側に位置する部分を、カバー上側側板63とする。つまり、本実施の形態では、カバー下側側板62が内部材下側側板となり、カバー上側側板63が内部材上側側板となる。
【００３７】
また、カバー下側側板62における、カバー60の開口側の端部を、カバー下側側板62の先端縁64とする。換言すれば、カバー下側側板62における、カバー60の底板61とは反対側の端部を、カバー下側側板62の先端縁64とする。つまり、本実施の形態では、カバー下側側板62の先端縁64が内部材下側側板の先端縁となっている。
また、カバー上側側板63における、カバー60の開口側の端部を、カバー上側側板63の先端縁65とする。換言すれば、カバー上側側板63における、カバー60の底板61とは反対側の端部を、カバー上側側板63の先端縁65とする。つまり、本実施の形態では、カバー上側側板63の先端縁65が内部材上側側板の先端縁となっている。
【００３８】
また、カバー60の側板のうち、メイン基板ケース49を筐体11に固定した際に右側に位置する部分を、カバー右側側板74とし、同左側に位置する部分を、カバー左側側板75とする。
また、ベース20とカバー60とを組み合わせた際には、カバー右側側板74の外面とベース右側側板80の内面とが隙間なく密接するとともに、カバー左側側板75の外面とベース左側側板81の内面とが隙間なく密接するようになっている。つまり、ベース20とカバー60とは、互いに組み合わせた際に、カバー右側側板74の外面がベース右側側板80の内面に隙間なく密接するとともに、カバー左側側板75の外面がベース左側側板81の内面に隙間なく密接するように形成されている。
【００３９】
また、ベース20とカバー60とを組み合わせた際には、ベース下側側板22とカバー下側側板62との間に間隙ができ、かつ、ベース上側側板23とカバー上側側板63との間にも間隙ができ、かつ、ベース20の底板21とカバー下側側板62の先端縁64との間にも間隙ができ、かつ、ベース20の底板21とカバー上側側板63の先端縁65との間にも間隙ができるようになっている。つまり、ベース20とカバー60とは、互いに組み合わせた際に、ベース下側側板22とカバー下側側板62との間に間隙ができ、かつ、ベース上側側板23とカバー上側側板63との間にも間隙ができ、かつ、ベース20の底板21とカバー下側側板62の先端縁64との間にも間隙ができ、かつ、ベース20の底板21とカバー上側側板63の先端縁65との間にも間隙ができるように形成されている。
【００４０】
またここで、ベース下側側板22の先端縁24とカバー下側側板62との間にできる開口を「吸気口55」とし、また、ベース上側側板23の先端縁25とカバー上側側板63との間にできる開口を「排気口56」とし、また、ベース20の底板21とカバー下側側板62の先端縁64との間にできる開口を「下通風口53」とし、また、ベース20の底板21とカバー上側側板63の先端縁65との間にできる開口を「上通風口54」とする。また、ベース20とカバー60との間にできる間隙のうち、吸気口55から下通風口53までを「吸気通路57」とし、また、ベース20とカバー60との間にできる間隙のうち、上通風口54から排気口56までを「排気通路58」とする。また、ベース20とカバー60との間にできる空間のうち、吸気通路57と排気通路58とを除いた部分を「収納空間59」とする。
【００４１】
（作用及び効果）
電子部品により熱せられた収納空間59の空気が、上通風口54と排気口56との間に形成された排気通路58を通って、メイン基板ケース49外へ排出される。これに伴い、メイン基板ケース49外の空気が、吸気口55と下通風口53との間に形成された吸気通路57を通って、収納空間59へ流入する。そして、収納空間59へ流入した空気により、電子部品が冷却されるので、効率の良い放熱を行うことができる。
また、ベース下側側板22とカバー下側側板62とがオーバーラップするとともに、ベース上側側板23とカバー上側側板63とがオーバーラップすることにより、収納空間59への埃や金属粉等の侵入を抑制することができる。これにより、メイン基板47の誤動作や故障を防止することができる。
【００４２】
さらに、メイン基板ケース49外から収納空間59へ流入する空気の通路である吸気通路57と、収納空間59からメイン基板ケース49外へ排出される空気の通路である排気通路58とは、いずれも屈曲した形状となっている。そのため、排気口56や吸気口55からピアノ線や針金等を挿入しても、ピアノ線や針金等の先端を収納空間59へ侵入させ、メイン基板47まで到達させることが困難となる。これにより、メイン基板ケース49にピアノ線や針金等を挿入する不正行為を防止することができる。
なお、メイン基板ケース49は、上述した実施の形態に限定されるものではなく、本発明の目的を達成できる範囲における変形及び改良などを含むものである。例えば、ベース20の底板21及びカバー60の底板61を、楕円形に形成してもよい。また、ベース下側側板22及びベース上側側板23の高さを、カバー用ボス83の高さと同じ、もしくは、カバー用ボス83の高さよりも高く設定してもよい。
【００４３】
（第１の実施形態）
第１の実施形態は、内部材としてのカバー60の底板61下端に底板下端突出部66を設けるとともに、同底板61上端に底板上端突出部67を設けたものである。
なお、第１の実施形態は、カバー60の構造が第１の参考実施形態と相違するものの、その他については第１の参考実施形態と同様であるので、相違点についてのみ説明する。
（図面の説明）
図７は、第１の実施形態に係る基板ケース17の縦断面図である。
（カバー60）
カバー60は、底板61の下端から下方に向けて突出した底板下端突出部66と、底板61の上端から上方に向けて突出した底板上端突出部67とを有している。
【００４４】
底板下端突出部66は、カバー60の底板61の下端から下方向に向けて垂直に突出した板状の部分で、吸気口55に応じた長方形の平面形状を有するように形成されている。また、底板下端突出部66は、カバー60の底板61の右端から左端まで至るように連続して形成されている。また、底板下端突出部66とベース下側側板22の先端縁24との間には間隙が設けられている。
底板上端突出部67は、カバー60の底板61の上端から上方向に向けて垂直に突出した板状の部分で、排気口56に応じた長方形の平面形状を有するように形成されている。また、底板上端突出部67は、カバー60の底板61の右端から左端まで至るように連続して形成されている。また、底板上端突出部67とベース上側側板23の先端縁25との間には間隙が設けられている。
【００４５】
（作用及び効果）
カバー60の底板61の下端に設けた底板下端突出部66が、吸気口55の前方に立ちはだかる。このため、吸気口55の真正面から吸気通路57内へピアノ線や針金等を挿入することが困難になる。また、カバー60の底板61の上端に設けた底板上端突出部67が、排気口56の前方に立ちはだかる。このため、排気口56の真正面から排気通路58内へピアノ線や針金等を挿入することが困難になる。また、仮に吸気口55や排気口56からピアノ線や針金等が挿入されたとしても、ピアノ線や針金等の先端を収納空間59へ侵入させ、メイン基板47まで到達させることが、さらに困難となる。これにより、基板ケース17としてのメイン基板ケース49にピアノ線や針金等を挿入する不正行為を、より効果的に防止できる。
【００４６】
なお、底板下端突出部66及び底板上端突出部67は、上述した実施の形態に限定されるものではなく、本発明の目的を達成できる範囲における変形及び改良などを含むものである。例えば、底板下端突出部66を、ベース下側側板22のやや下方に相当する位置まで突出させてもよく、底板上端突出部67を、ベース上側側板23のやや上方に相当する位置まで突出させてもよい。さらに、底板下端突出部66及び底板上端突出部67の先端縁が、筐体11の背板14方向へ向かうように、底板下端突出部66及び底板上端突出部67を屈曲させてもよい。また、底板下端突出部66及び底板上端突出部67は、筐体11の背板14方向に向けて傾斜して突出させてもよい。
【００４７】
（第２の実施形態）
第２の実施形態は、外部材としてのベース20の底板21内面における、内部材下側側板としてのカバー下側側板62の高さのやや上方に相当する位置に、下側突出部としてのベース下側突出部26を設けるとともに、同底板２１内面における、内部材上側側板としてのカバー上側側板63の高さのやや下方に相当する位置に、上側突出部としてのベース上側突出部27を設けたものである。
なお、第２の実施形態は、ベース20の構造が第１の参考実施形態と相違するものの、その他については第１の参考実施形態と同様であるので、相違点についてのみ説明する。
【００４８】
（図面の説明）
図８は、第２の実施形態に係る基板ケース17の縦断面図である。
（ベース20）
ベース20は、ベース20の底板21の内面における、カバー下側側板62の高さのやや上方に相当する位置から、カバー60の底板61の内面方向へ向けて突出したベース下側突出部26を有している。また、ベース20は、ベース20の底板21の内面における、カバー上側側板63の高さのやや下方に相当する位置から、カバー60の底板61の内面方向へ向けて突出したベース上側突出部27を有している。
【００４９】
ベース下側突出部26は、ベース20の底板21の内面における、カバー下側側板62の高さのやや上方に相当する位置から、カバー60の底板61の内面方向へ向けて水平に突出した、長方形の平面形状を有する板状の部分である。また、ベース下側突出部26は、ベース右側側板80からベース左側側板81まで至るように連続して形成されている。
ここで、ベース下側突出部26における、ベース20の底板21とは反対側の端部を「ベース下側突出部26の先端縁」とする。
ベース下側突出部26の高さは、基板用ボス82の高さよりも低く形成されている。つまり、ベース下側突出部26の先端縁とカバー60の底板61の内面との間には間隙が設けられている。
【００５０】
ベース上側突出部27は、ベース20の底板21の内面における、カバー上側側板63の高さのやや下方に相当する位置から、カバー60の底板61の内面方向へ向けて水平に突出した、長方形の平面形状を有する板状の部分である。また、ベース上側突出部27は、ベース右側側板80からベース左側側板81まで至るように連続して形成されている。
ここで、ベース上側突出部27における、ベース20の底板21とは反対側の端部を「ベース上側突出部27の先端縁」とする。
ベース上側突出部27の高さは、基板用ボス82の高さよりも低く形成されている。つまり、ベース上側突出部27の先端縁とカバー60の底板61の内面との間には間隙が設けられている。
【００５１】
（作用及び効果）
下通風口53の前方に、下側突出部としてのベース下側突出部26が立ちはだかる。このため、たとえ吸気口55から吸気通路57を介して下通風口53まで挿入されたピアノ線や針金等があったとしても、このピアノ線や針金等は、その先、垂直上方への進行を妨げられる。したがって、ピアノ線や針金等の先端をメイン基板47まで到達させることが、さらに困難となる。また、上通風口54の前方に、上側突出部としてのベース上側突出部27が立ちはだかる。このため、たとえ排気口56から排気通路58を介して上通風口54まで挿入されたピアノ線や針金等があったとしても、このピアノ線や針金等は、その先、垂直下方への進行を妨げられる。したがって、ピアノ線や針金等の先端をメイン基板47まで到達させることが、さらに困難となる。これにより、基板ケースにピアノ線や針金等を挿入する不正行為を、より効果的に防止できる。
【００５２】
なお、ベース下側突出部26及びベース上側突出部27は、上述した実施の形態に限定されるものではなく、本発明の目的を達成できる範囲における変形及び改良などを含むものである。例えば、ベース下側突出部26及びベース上側突出部27の高さを、基板用ボス82の高さよりも高く設定してもよい。また、スリット等が形成されたベース下側突出部26及びベース上側突出部27を、ベースの底板21に複数設けてもよい。
（第２の参考実施形態）
第２の参考実施形態は、内部材下側側板としてのカバー下側側板62の外面に、下鍔部としてのカバー下鍔部68を設けるとともに、内部材上側側板としてのカバー上側側板63の外面に、上鍔部としてのカバー上鍔部69を設けたものである。
【００５３】
なお、第２の参考実施形態は、カバー60の構造が第１の参考実施形態と相違するものの、その他については第１の参考実施形態と同様であるので、相違点についてのみ説明する。
（図面の説明）
図９は、第２の参考実施形態に係る基板ケース17の縦断面図である。
（カバー60）
ベース下側側板22とカバー下側側板62との間に設けられた間隙を「下側側板間隙51」とする。また、ベース上側側板23とカバー上側側板63との間に設けられた間隙を「上側側板間隙52」とする。
【００５４】
カバー60は、カバー下側側板62の外面から、下側側板間隙51に位置するように、下方へ向けて突出したカバー下鍔部68を有している。また、カバー60は、カバー上側側板63の外面から、上側側板間隙52に位置するように、上方へ向けて突出したカバー上鍔部69を有している。
カバー下鍔部68は、カバー下側側板62の先端縁64から、ベース下側側板22の内面方向へ向けて、垂直に突出した板状の部分で、吸気通路57に応じた長方形の平面形状を有するように形成されている。また、カバー下鍔部68は、カバー下側側板62の右端から左端までに至るように連続して形成されている。また、カバー下鍔部68の先端縁とベース下側側板22との間には間隙が設けられている。
【００５５】
カバー上鍔部69は、カバー上側側板63の先端縁65から、ベース上側側板23の内面方向へ向けて、垂直に突出した板状の部分で、排気通路58に応じた長方形の平面形状を有するように形成されている。また、カバー上鍔部69は、カバー上側側板63の右端から左端までに至るように連続して形成されている。また、カバー上鍔部69の先端縁とベース上側側板23との間には間隙が設けられている。
（作用及び効果）
吸気通路57を塞いでしまうことはないものの、吸気通路57の途中に下鍔部としてのカバー下鍔部68が立ちはだかる。このため、たとえ吸気口55から吸気通路57内に挿入されたピアノ線や針金等があったとしても、このピアノ線や針金等は、その先、収納空間59方向へ向けての進行を妨げられる。また、排気通路58を塞いでしまうことはないものの、排気通路58の途中に上鍔部としてのカバー上鍔部69が立ちはだかる。このため、たとえ排気口56から排気通路58内に挿入されたピアノ線や針金等があったとしても、このピアノ線や針金等は、その先、収納空間59方向へ向けての進行を妨げられる。これにより、メイン基板ケース49にピアノ線や針金等を挿入する不正行為を、より効果的に防止できる。
【００５６】
また、排気口56から侵入してきた埃や金属粉等は、排気通路58内でカバー上鍔部69により堰き止められる。そのため、収納空間59への埃や金属粉等の侵入が抑制され、メイン基板47の誤動作や故障を、より効果的に防止できる。
なお、カバー下鍔部68及びカバー上鍔部69は、上述した実施の形態に限定されるものではなく、本発明の目的を達成できる範囲における変形及び改良などを含むものである。例えば、カバー下鍔部68を吸気口55方向に向けて傾斜させてもよく、カバー上鍔部69を排気口56方向に向けて傾斜させてもよい。また、スリット等が形成されたカバー下鍔部68を、カバー下側側板62に複数設けてもよく、スリット等が形成されたカバー上鍔部69を、カバー上側側板63に複数設けてもよい。
【００５７】
（第３の参考実施形態）
第３の参考実施形態は、内部材としてのベース20の開口が、外部材としてのカバー60の内部に位置するようにして、ベース20とカバー60とを組み合わせたものである。
なお、第３の参考実施形態は、ベース20及びカバー60の構造が第１の参考実施形態と相違するものの、その他については第１の参考実施形態と同様であるので、相違点についてのみ説明する。
（図面の説明）
図１０は、第３の参考実施形態に係る基板ケース17を示す正面図である。図１１は、第３の参考実施形態に係る基板ケース17を示す側面図である。図１２は、第３の参考実施形態に係る図１０のＣ−Ｃ線における断面図である。図１３は、第３の参考実施形態に係る図１０のＤ−Ｄ線における断面図である。
【００５８】
（ベース20及びカバー60）
ベース20とカバー60とは、ベース20の開口が、カバー60の内部に位置するように組み合わされる。つまり、本実施の形態では、カバー60が外部材となり、ベース20が内部材となっている。従って、カバー下側側板62が外部材下側側板となり、カバー上側側板63が外部材上側側板となり、カバー下側側板62の先端縁64が外部材下側側板の先端縁となり、カバー上側側板63の先端縁65が外部材上側側板の先端縁となる。
また、カバー下側側板62の先端縁64とベース下側側板22との間にできる開口を「吸気口55」とし、また、カバー上側側板63の先端縁65とベース上側側板23との間にできる開口を「排気口56」とし、また、カバー60の底板61とベース下側側板22の先端縁24との間にできる開口を「下通風口53」とし、また、カバー60の底板61とベース上側側板23の先端縁25との間にできる開口を「上通風口54」とする。また、ベース20とカバー60との間にできる間隙のうち、吸気口55から下通風口53までを「吸気通路57」とし、また、ベース20とカバー60との間にできる間隙のうち、上通風口54から排気口56までを「排気通路58」とする。また、ベース20とカバー60との間にできる空間のうち、吸気通路57と排気通路58とを除いた部分を「収納空間59」とする。
【００５９】
そして、カバー下側側板62の先端縁64と、ベース20が固定された筐体11の背板14との間には間隙が設けられ、また、カバー上側側板63の先端縁65と、ベース20が固定された筐体11の背板14との間には間隙が設けられている。
また、ベース20とカバー60とを組み合わせた際には、カバー右側側板74の内面とベース右側側板80の外面とが隙間なく密接するとともに、カバー左側側板75の内面とベース左側側板81の外面とが隙間なく密接するようになっている。つまり、ベース20とカバー60とは、互いに組み合わせた際に、カバー右側側板74の内面がベース右側側板80の外面に隙間なく密接するとともに、カバー左側側板75の内面がベース左側側板81の外面に隙間なく密接するように形成されている。
【００６０】
（作用及び効果）
ベース20の開口を、カバー60の内部に位置させるようにして、ベース20とカバー60とを組み合わせたことにより、吸気口55及び排気口56は、ベース20が取り付けられた筐体11の背板14側へ向けて開口する。このため、吸気口55及び排気口56の前方には筐体11の背板14が立ちはだかるようになる。これにより、ピアノ線や針金等を吸気口55及び排気口56へ挿入させることが、さらに困難となる。従って、メイン基板ケース49にピアノ線や針金等を挿入する不正行為を、より効果的に防止できる。
なお、メイン基板ケース49は、上述した実施の形態に限定されるものではなく、本発明の目的を達成できる範囲における変形及び改良などを含むものである。例えば、ベース20の底板21及びカバー60の底板61を、楕円形に形成してもよい。
【００６１】
（第４の参考実施形態）
第４の参考実施形態は、外部材下側側板としてのカバー下側側板62の先端縁64に、下縁突出部70を設けるとともに、外部材上側側板としてのカバー上側側板63の先端縁65に、上縁突出部71を設けたものである。
なお、第４の参考実施形態は、カバー60の構造が第３の参考実施形態と相違するものの、その他については第３の参考実施形態と同様であるので、相違点についてのみ説明する。
（図面の説明）
図１４は、第４の参考実施形態に係る基板ケース17の縦断面図である。
【００６２】
（カバー60）
カバー60は、カバー下側側板62の先端縁64から下方へ向けて突出した下縁突出部70と、カバー上側側板63の先端縁65から上方へ向けて突出した上縁突出部71とを有している。
下縁突出部70は、カバー下側側板62の先端縁64から下方へ向けて垂直に突出し、長方形の平面形状を有する板状に形成されている。また、下縁突出部70は、カバー下側側板62の右端から左端まで至るように連続して形成されている。
上縁突出部71は、カバー上側側板63の先端縁65から上方へ向けて垂直に突出し、長方形の平面形状を有する板状に形成されている。また、上縁突出部71は、カバー上側側板63の右端から左端まで至るように連続して形成されている。
【００６３】
（作用及び効果）
カバー下側側板62の先端縁64に下縁突出部70を設けたことにより、吸気口55の手前に、下縁突出部70や筐体11の背板14などで囲まれた通路が形成される。この通路を「吸気手前通路78」とすると、吸気口55は、吸気手前通路78の奥に位置することとなる。このため、吸気口55へのアクセスが容易に行えなくなる。つまり、吸気口55からピアノ線や針金等を挿入させることが、より困難となる。
また、カバー上側側板63の先端縁65に上縁突出部71を設けたことにより、排気口56の先方に、上縁突出部71や筐体11の背板14などで囲まれた通路が形成される。この通路を「排気先方通路79」とすると、排気口56は、排気先方通路79の奥に位置することとなる。このため、排気口56へのアクセスが容易に行えなくなる。つまり、排気口56からピアノ線や針金等を挿入させることが、より困難となる。
【００６４】
また、排気口56や吸気口55からピアノ線や針金等を挿入させることができても、ピアノ線や針金等の先端を収納空間59へ侵入させ、メイン基板47まで到達させることが、さらに困難となる。これにより、メイン基板ケース49にピアノ線や針金等を挿入する不正行為を、より効果的に防止できる。
また、上縁突出部71が、排気口56から侵入しようとする埃や金属粉等を堰き止める。そのため、収納空間59への埃や金属粉等の侵入が抑制され、メイン基板47の誤動作や故障を、より効果的に防止できる。
なお、下縁突出部70及び上縁突出部71は、上述した実施の形態に限定されるものではなく、本発明の目的を達成できる範囲における変形及び改良などを含むものである。例えば、下縁突出部70及び上縁突出部71を、半円形の平面形状に形成してもよい。
【００６５】
（第５の参考実施形態）
第５の参考実施形態は、内部材下側側板としてのベース下側側板22の外面に、下鍔部としてのベース下鍔部28を設けるとともに、内部材上側側板としてのベース上側側板23の外面に、上鍔部としてのベース上鍔部29を設けたものである。
なお、第５の参考実施形態は、ベース20の構造が第３の参考実施形態と相違するものの、その他については第３の参考実施形態と同様であるので、相違点についてのみ説明する。
（図面の説明）
図１５は、第５の参考実施形態に係る基板ケース17の縦断面図である。
【００６６】
（ベース20）
ベース20は、ベース下側側板22の外面から、下側側板間隙51に位置するように、下方へ向けて突出したベース下鍔部28を有している。また、ベース20は、ベース上側側板23の外面から、上側側板間隙52に位置するように、上方へ向けて突出したベース上鍔部29を有している。
ベース下鍔部28は、ベース下側側板22の先端縁24から、カバー下側側板62の内面方向へ向けて、垂直に突出した板状の部分で、吸気通路57に応じた長方形の平面形状を有するように形成されている。また、ベース下鍔部28は、ベース下側側板22の右端から左端までに至るように連続して形成されている。また、ベース下鍔部28の先端縁とカバー下側側板62との間には間隙が設けられている。
【００６７】
ベース上鍔部29は、ベース上側側板23の先端縁25から、カバー上側側板63の内面方向へ向けて、垂直に突出した板状の部分で、排気通路58に応じた長方形の平面形状を有するように形成されている。また、ベース上鍔部29は、ベース上側側板23の右端から左端までに至るように連続して形成されている。ベース上鍔部29の先端縁とカバー上側側板63との間には間隙が設けられている。
（作用及び効果）
吸気通路57を塞いでしまうことはないものの、吸気通路57の途中に下鍔部としてのベース下鍔部28が立ちはだかる。このため、たとえ吸気口55から吸気通路57内に挿入されたピアノ線や針金等があったとしても、このピアノ線や針金等は、その先、収納空間59方向へ向けての進行を妨げられる。また、排気通路58を塞いでしまうことはないものの、排気通路58の途中に上鍔部としてのベース上鍔部29が立ちはだかる。このため、たとえ排気口56から排気通路58内に挿入されたピアノ線や針金等があったとしても、このピアノ線や針金等は、その先、収納空間59方向へ向けての進行を妨げられる。これにより、メイン基板ケース49にピアノ線や針金等を挿入する不正行為を、より効果的に防止できる。
【００６８】
また、排気口56から侵入してきた埃や金属粉等は、排気通路58内でベース上鍔部29により堰き止められる。そのため、収納空間59への埃や金属粉等の侵入が抑制され、メイン基板47の誤動作や故障を、より効果的に防止できる。
なお、ベース下鍔部28及びベース上鍔部29は、上述した実施の形態に限定されるものではなく、本発明の目的を達成できる範囲における変形及び改良などを含むものである。例えば、ベース下鍔部28を吸気口55方向に向けて傾斜させてもよく、ベース上鍔部29を排気口56方向に向けて傾斜させてもよい。また、スリット等が形成されたベース下鍔部28を、ベース下側側板22に複数設けてもよく、スリット等が形成されたベース上鍔部29を、ベース上側側板23に複数設けてもよい。
【００６９】
（第６の参考実施形態）
第６の参考実施形態は、外部材としてのカバー60の底板61内面における、内部材下側側板としてのベース下側側板22の高さのやや上方に相当する位置に、下側突出部としてのカバー下側突出部72を設けるとともに、同底板61内面における、内部材上側側板としてのベース上側側板23の高さのやや下方に相当する位置に、上側突出部としてのカバー上側突出部73を設けたものである。
なお、第６の参考実施形態は、カバー60の構造が第３の参考実施形態と相違するものの、その他については第３の参考実施形態と同様であるので、相違点についてのみ説明する。
【００７０】
（図面の説明）
図１６は、第６の参考実施形態に係る基板ケース17の縦断面図である。
（カバー60）
カバー60は、カバー60の底板61の内面における、ベース下側側板22の高さのやや上方に相当する位置から、ベース20の底板21の内面方向へ向けて突出したカバー下側突出部72を有している。また、カバー60は、カバー60の底板61の内面における、ベース上側側板23の高さのやや下方に相当する位置から、ベース20の底板21の内面方向へ向けて突出したカバー上側突出部73を有している。
【００７１】
カバー下側突出部72は、カバー60の底板61の内面における、ベース下側側板22の高さのやや上方に相当する位置から、ベース20の底板21の内面方向へ向けて水平に突出した、長方形の平面形状を有する板状の部分である。また、カバー下側突出部72は、ベース右側側板80からベース左側側板81まで至るように連続して形成されている。
ここで、カバー下側突出部72における、カバー60の底板61とは反対側の端部を「カバー下側突出部72の先端縁」とする。
カバー下側突出部72の高さは、下通風口53よりも低く形成されている。つまり、カバー下側突出部72の先端縁とベース20の底板21の内面との間には間隙が設けられている。
【００７２】
カバー上側突出部73は、カバー60の底板61の内面における、ベース上側側板23の高さのやや下方に相当する位置から、ベース20の底板21の内面方向へ向けて水平に突出した、長方形の平面形状を有する板状の部分である。また、カバー上側突出部73は、ベース右側側板80からベース左側側板81まで至るように連続して形成されている。
ここで、カバー上側突出部73における、カバー60の底板61とは反対側の端部を「カバー上側突出部73の先端縁」とする。
カバー上側突出部73の高さは、上通風口54よりも低く形成されている。つまり、カバー上側突出部73の先端縁とベース20の底板21の内面との間には間隙が設けられている。
【００７３】
（作用及び効果）
下通風口53の前方に、下側突出部としてのカバー下側突出部72が立ちはだかる。このため、たとえ吸気口55から吸気通路57を介して下通風口53まで挿入されたピアノ線や針金等があったとしても、このピアノ線や針金等は、その先、垂直上方への進行を妨げられる。したがって、ピアノ線や針金等の先端をメイン基板47まで到達させることが、さらに困難となる。また、上通風口54の前方に、上側突出部としてのカバー上側突出部73が立ちはだかる。このため、たとえ排気口56から排気通路58を介して上通風口54まで挿入されたピアノ線や針金等があったとしても、このピアノ線や針金等は、その先、垂直下方への進行を妨げられる。したがって、ピアノ線や針金等の先端をメイン基板47まで到達させることが、さらに困難となる。これにより、メイン基板ケース49にピアノ線や針金等を挿入する不正行為を、より効果的に防止できる。
【００７４】
なお、カバー下側突出部72及びカバー上側突出部73は、上述した実施の形態に限定されるものではなく、本発明の目的を達成できる範囲における変形及び改良などを含むものである。例えば、スリット等が形成されたカバー下側突出部72及びカバー上側突出部73を、カバーの底板61に複数設けてもよい。また、カバー下側突出部72の高さを、下通風口53よりも高く設定してもよく、カバー上側突出部73の高さを、上通風口53よりも高く設定してもよい。
（その他の実施の形態）
（第１の実施形態と第２の実施形態との組み合わせ）
基板ケース17としてのメイン基板ケース49は、第１の実施形態の特徴点と、第２の実施形態の特徴点とを併せ持つ構造でもよい。
【００７５】
すなわち、カバー60は、底板61の下端から下方に向けて突出した底板下端突出部66と、底板61の上端から上方に向けて突出した底板上端突出部67とを有し、ベース20は、ベース20の底板21の内面における、カバー下側側板62の高さのやや上方に相当する位置から、カバー60の底板61の内面方向へ向けて突出したベース下側突出部26と、ベース20の底板21の内面における、カバー上側側板63の高さのやや下方に相当する位置から、カバー60の底板61の内面方向へ向けて突出したベース上側突出部27とを有する構造でもよい。
これにより、吸気通路57及び排気通路58の形状が、さらに複雑になるので、メイン基板ケース49にピアノ線や針金等を挿入する不正行為を、より効果的に防止できる。
【００７６】
（第１の実施形態と第２の参考実施形態との組み合わせ）
基板ケース17としてのメイン基板ケース49は、第１の実施形態の特徴点と、第２の参考実施形態の特徴点とを併せ持つ構造でもよい。
すなわち、カバー60は、底板61の下端から下方に向けて突出した底板下端突出部66と、底板61の上端から上方に向けて突出した底板上端突出部67と、カバー下側側板62の外面から、下側側板間隙51に位置するように、下方へ向けて突出したカバー下鍔部68と、カバー上側側板63の外面から、上側側板間隙52に位置するように、上方へ向けて突出したカバー上鍔部69とを有する構造でもよい。
【００７７】
これにより、吸気通路57及び排気通路58の形状が、さらに複雑になるので、メイン基板ケース49にピアノ線や針金等を挿入する不正行為を、より効果的に防止できる。
（第２の実施形態と第２の参考実施形態との組み合わせ）
基板ケース17としてのメイン基板ケース49は、第２の実施形態の特徴点と、第２の参考実施形態の特徴点とを併せ持つ構造でもよい。
すなわち、ベース20は、ベース20の底板21の内面における、カバー下側側板62の高さのやや上方に相当する位置から、カバー60の底板61の内面方向へ向けて突出したベース下側突出部26と、ベース20の底板21の内面における、カバー上側側板63の高さのやや下方に相当する位置から、カバー60の底板61の内面方向へ向けて突出したベース上側突出部27とを有し、カバー60は、カバー下側側板62の外面から、下側側板間隙51に位置するように、下方へ向けて突出したカバー下鍔部68と、カバー上側側板63の外面から、上側側板間隙52に位置するように、上方へ向けて突出したカバー上鍔部69とを有する構造でもよい。
【００７８】
これにより、吸気通路57及び排気通路58の形状が、さらに複雑になるので、メイン基板ケース49にピアノ線や針金等を挿入する不正行為を、より効果的に防止できる。
（第１の実施形態と第２の実施形態と第２の参考実施形態との組み合わせ）
基板ケース17としてのメイン基板ケース49は、第１の実施形態の特徴点、第２の実施形態の特徴点、及び第２の参考実施形態の特徴点を併せ持つ構造でもよい。
すなわち、カバー60は、底板61の下端から下方に向けて突出した底板下端突出部66と、底板61の上端から上方に向けて突出した底板上端突出部67と、カバー下側側板62の外面から、下側側板間隙51に位置するように、下方へ向けて突出したカバー下鍔部68と、カバー上側側板63の外面から、上側側板間隙52に位置するように、上方へ向けて突出したカバー上鍔部69とを有し、ベース20は、ベース20の底板21の内面における、カバー下側側板62の高さのやや上方に相当する位置から、カバー60の底板61の内面方向へ向けて突出したベース下側突出部26と、ベース20の底板21の内面における、カバー上側側板63の高さのやや下方に相当する位置から、カバー60の底板61の内面方向へ向けて突出したベース上側突出部27とを有する構造でもよい。
【００７９】
これにより、吸気通路57及び排気通路58の形状が、さらに複雑になるので、メイン基板ケース49にピアノ線や針金等を挿入する不正行為を、より効果的に防止できる。
（第４の参考実施形態と第５の参考実施形態との組み合わせ）
基板ケース17としてのメイン基板ケース49は、第４の参考実施形態の特徴点と、第５の参考実施形態の特徴点とを併せ持つ構造でもよい。
すなわち、カバー60は、カバー下側側板62の先端縁64から下方へ向けて突出した下縁突出部70と、カバー上側側板63の先端縁65から上方へ向けて突出した上縁突出部71とを有し、ベース20は、ベース下側側板22の外面から、下側側板間隙51に位置するように、下方へ向けて突出したベース下鍔部28と、ベース上側側板23の外面から、上側側板間隙52に位置するように、上方へ向けて突出したベース上鍔部29とを有する構造でもよい。
【００８０】
これにより、吸気通路57及び排気通路58の形状が、さらに複雑になるので、メイン基板ケース49にピアノ線や針金等を挿入する不正行為を、より効果的に防止できる。
（第４の参考実施形態と第６の参考実施形態との組み合わせ）
基板ケース17としてのメイン基板ケース49は、第４の参考実施形態の特徴点と、第６の参考実施形態の特徴点とを併せ持つ構造でもよい。
すなわち、カバー60は、カバー下側側板62の先端縁64から下方へ向けて突出した下縁突出部70と、カバー上側側板63の先端縁65から上方へ向けて突出した上縁突出部71と、カバー60の底板61の内面における、ベース下側側板22の高さのやや上方に相当する位置から、ベース20の底板21の内面方向へ向けて突出したカバー下側突出部72と、カバー60の底板61の内面における、ベース上側側板23の高さのやや下方に相当する位置から、ベース20の底板21の内面方向へ向けて突出したカバー上側突出部73とを有する構造でもよい。
【００８１】
これにより、吸気通路57及び排気通路58の形状が、さらに複雑になるので、メイン基板ケース49にピアノ線や針金等を挿入する不正行為を、より効果的に防止できる。
（第５の参考実施形態と第６の参考実施形態との組み合わせ）
基板ケース17としてのメイン基板ケース49は、第５の参考実施形態の特徴点と、第６の参考実施形態の特徴点とを併せ持つ構造でもよい。
すなわち、ベース20は、ベース下側側板22の外面から、下側側板間隙51に位置するように、下方へ向けて突出したベース下鍔部28と、ベース上側側板23の外面から、上側側板間隙52に位置するように、上方へ向けて突出したベース上鍔部29とを有し、カバー60は、カバー60の底板61の内面における、ベース下側側板22の高さのやや上方に相当する位置から、ベース20の底板21の内面方向へ向けて突出したカバー下側突出部72と、カバー60の底板61の内面における、ベース上側側板23の高さのやや下方に相当する位置から、ベース20の底板21の内面方向へ向けて突出したカバー上側突出部73とを有する構造でもよい。
【００８２】
これにより、吸気通路57及び排気通路58の形状が、さらに複雑になるので、メイン基板ケース49にピアノ線や針金等を挿入する不正行為を、より効果的に防止することができる。
（第４の参考実施形態と第５の参考実施形態と第６の参考実施形態との組み合わせ）
基板ケース17としてのメイン基板ケース49は、第４の参考実施形態の特徴点、第５の参考実施形態の特徴点、及び第６の参考実施形態の特徴点を併せ持つ構造でもよい。
すなわち、カバー60は、カバー下側側板62の先端縁64から下方へ向けて突出した下縁突出部70と、カバー上側側板63の先端縁65から上方へ向けて突出した上縁突出部71と、カバー60の底板61の内面における、ベース下側側板22の高さのやや上方に相当する位置から、ベース20の底板21の内面方向へ向けて突出したカバー下側突出部72と、カバー60の底板61の内面における、ベース上側側板23の高さのやや下方に相当する位置から、ベース20の底板21の内面方向へ向けて突出したカバー上側突出部73とを有し、ベース20は、ベース下側側板22の外面から、下側側板間隙51に位置するように、下方へ向けて突出したベース下鍔部28と、ベース上側側板23の外面から、上側側板間隙52に位置するように、上方へ向けて突出したベース上鍔部29とを有する構造でもよい。
【００８３】
これにより、吸気通路57及び排気通路58の形状が、さらに複雑になるので、メイン基板ケース49にピアノ線や針金等を挿入する不正行為を、より効果的に防止することができる。
【符号の説明】
【００８４】
10  スロットマシン              11  筐体
12  底板                        13  側板
14  背板                        15  天板
16  制御基板                    17  基板ケース
20  ベース                      21  底板
22  ベース下側側板              23  ベース上側側板
24  ベース下側側板の先端縁      25  ベース上側側板の先端縁
26  ベース下側突出部            27  ベース上側突出部
28  ベース下鍔部                29  ベース上鍔部
30  前扉                        31  メダル投入口
32  メダル払出口                33  ベットスイッチ
34  マックスベットスイッチ      35  スタートスイッチ
36  ストップスイッチ            37  演出用ランプ
38  スピーカー                  39  受け皿
40  リール装置                  41  回転リール
42  図柄表示窓                  43  メダル選別装置
44  ホッパー装置                45  電源装置
46  制御装置                    47  メイン基板
48  サブ基板                    49  メイン基板ケース
50  サブ基板ケース              51  下側側板間隙
52  上側側板間隙                53  下通風口
54  上通風口                    55  吸気口
56  排気口                      57  吸気通路
58  排気通路                    59  収納空間
60  カバー                      61  底板
62  カバー下側側板              63  カバー上側側板
64  カバー下側側板の先端縁      65  カバー上側側板の先端縁
66  底板下端突出部              67  底板上端突出部
68  カバー下鍔部                69  カバー上鍔部
70  下縁突出部                  71  上縁突出部
72  カバー下側突出部            73  カバー上側突出部
74  カバー右側側板              75  カバー左側側板
76  カバー用ネジ                77  カバー用ネジ穴
78  吸気手前通路                79  排気先方通路
80  ベース右側側板              81  ベース左側側板
82  基板用ボス                  83  カバー用ボス
90  基板用ネジ                  91  基板用ネジ穴
92  位置決め穴
【図１】
2010088950.tif 000003
【図２】
2010088950.tif 000004
【図３】
2010088950.tif 000005
【図４】
2010088950.tif 000006
【図５】
2010088950.tif 000007
【図６】
2010088950.tif 000008
【図７】
2010088950.tif 000009
【図８】
2010088950.tif 000010
【図９】
2010088950.tif 000011
【図１０】
2010088950.tif 000012
【図１１】
2010088950.tif 000013
【図１２】
2010088950.tif 000014
【図１３】
2010088950.tif 000015
【図１４】
2010088950.tif 000016
【図１５】
2010088950.tif 000017
【図１６】
2010088950.tif 000018